(57)【要約】【課題】予め与えられたサイズのままでも良好に排泄液を吸収することができ、かつ、必要に応じて小さいサイズに切断して使用することもできる吸収パッドを提供する。【解決手段】吸収パッド１は、液透過性の第１シート１１及び第２シート１２と、両シート１１，１２の間に挟まれた２つの吸収体２１，２２とを備える。第１シート１１及び第２シート１２のうち、隣り合う吸収体２１，２２の間に位置する部分１３は、吸収体２１，２２の下面側の空間へ引き出されている。そして、吸収体２１と吸収体２２とを互いに接近させた状態で、第１シート１１の上面に、連結シート４１が貼着されている。吸収体２１，２２が互いに接近した状態となっているため、吸収パッド１は、着用者の尿を良好に吸収することができる。また、必要に応じて連結シート４１の第１ミシン目４１１を破断し、吸収パッド１を小さいサイズに切断して使用することもできる。【選択図】図１
2011056091.tif 000002
【特許請求の範囲】
【請求項１】
着用者の排泄液を吸収する吸収パッドであって、
略平面状に配置された複数の吸収体と、
前記複数の吸収体の一方の面を被覆する単一又は複数の液透過性の第１シートと、
前記複数の吸収体の他方の面を被覆する単一又は複数の液透過性の第２シートと、
を備え、
前記第１シート及び前記第２シートの、隣り合う吸収体の間に位置する部分が、前記吸収体より第２シート側の空間へ引き出されており、
前記隣り合う吸収体を互いに接近状態に維持する連結シートが、前記第１シートに固定されており、
前記連結シートに、前記隣り合う吸収体の境界に沿ってのびる第１弱化線が形成されていることを特徴とする吸収パッド。
【請求項２】
請求項１に記載の吸収パッドであって、
前記連結シートは、液透過性のシートであることを特徴とする吸収パッド。
【請求項３】
請求項１又は請求項２に記載の吸収パッドであって、
前記連結シートの繊維の配向は、前記第１弱化線に沿う方向であることを特徴とする吸収パッド。
【請求項４】
請求項１から請求項３までのいずれかに記載の吸収パッドであって、
前記第１シート及び前記第２シートは、それぞれ、前記隣り合う吸収体の間に位置する部分を介して連続していることを特徴とする吸収パッド。
【請求項５】
請求項４に記載の吸収パッドであって、
前記第１シート及び前記第２シートに、前記隣り合う吸収体の境界に沿ってのびる第２弱化線が形成されていることを特徴とする吸収パッド。
【請求項６】
請求項５に記載の吸収パッドであって、
前記第１シート及び前記第２シートの繊維の配向は、前記第２弱化線に沿う方向であることを特徴とする吸収パッド。
【請求項７】
請求項１から請求項６までのいずれかに記載の吸収パッドであって、
前記第１シート及び前記第２シートは、少なくとも、前記隣り合う吸収体の間に位置する部分において、互いに接合されていることを特徴とする吸収パッド。
【請求項８】
請求項１から請求項７までのいずれかに記載の吸収パッドであって、
前記連結シートの前記第１弱化線に沿う方向の長さは、前記吸収体の前記第１弱化線に沿う方向の長さよりも、長いことを特徴とする吸収パッド。
【請求項９】
請求項１から請求項８までのいずれかに記載の吸収パッドであって、
前記複数の吸収体は、一列に配列されていることを特徴とする吸収パッド。
【請求項１０】
請求項１から請求項９までのいずれかに記載の吸収パッドであって、
前記複数の吸収体は、三角形状の吸収体を含むことを特徴とする吸収パッド。
【発明の詳細な説明】
【技術分野】
【０００１】
本発明は、着用者の排泄液を吸収する吸収パッドに関する。
【背景技術】
【０００２】
従来、おむつとともに使用されて、おむつによる尿の吸収を補助する吸収パッドが知られている。このような吸収パッドの例として、特許文献１には、バックシートと液透性のトップシートとの間に吸収体が配置された、使い捨て補助パッドが記載されている。また、特許文献２には、液透過性のトップシートと液不透過性のバックシートとの間に複数の吸収体を並設し、吸収体間の接合部分にミシン目を施した吸収性物品が記載されている。
【先行技術文献】
【特許文献】
【０００３】
【特許文献１】特許第４１３２４６５号公報
【特許文献２】特開２００８−７３１８７号公報
【発明の概要】
【発明が解決しようとする課題】
【０００４】
おむつによる尿の吸収を適切に補助するためには、着用者の体型や、吸収パッドを配置する部位に応じて、吸収パッドの大きさや厚みを、変更することが望ましい。しかしながら、特許文献１の吸収パッドは、予め与えられたサイズのまま使用することが想定されている。このため、特許文献１の吸収パッドを小さいサイズに切断して使用することは、困難であった。
【０００５】
特許文献２の吸収性物品は、ミシン目により、各区画を他の区画から切り離しできるようになっている。しかしながら、特許文献２の吸収性物品は、区画間の接合部分に吸収体が配置されていない。このため、特許文献２の吸収性物品を、予め与えられたサイズのまま使用しようとすると、区画間の接合部分において尿の吸収力が弱い、という問題があった。
【０００６】
本発明は、このような事情に鑑みなされたものであり、予め与えられたサイズのままでも良好に排泄液を吸収することができ、かつ、必要に応じて小さいサイズに切断して使用することもできる吸収パッドを提供することを目的とする。
【課題を解決するための手段】
【０００７】
上記課題を解決するため、本願の第１発明は、着用者の排泄液を吸収する吸収パッドであって、略平面状に配置された複数の吸収体と、前記複数の吸収体の一方の面を被覆する単一又は複数の液透過性の第１シートと、前記複数の吸収体の他方の面を被覆する単一又は複数の液透過性の第２シートと、を備え、前記第１シート及び前記第２シートの、隣り合う吸収体の間に位置する部分が、前記吸収体より第２シート側の空間へ引き出されており、前記隣り合う吸収体を互いに接近状態に維持する連結シートが、前記第１シートに固定されており、前記連結シートに、前記隣り合う吸収体の境界に沿ってのびる第１弱化線が形成されていることを特徴とする。
【０００８】
本願の第２発明は、第１発明の吸収パッドであって、前記連結シートは、液透過性のシートであることを特徴とする。
【０００９】
本願の第３発明は、第１発明又は第２発明の吸収パッドであって、前記連結シートの繊維の配向は、前記第１弱化線に沿う方向であることを特徴とする。
【００１０】
本願の第４発明は、第１発明から第３発明までのいずれかの吸収パッドであって、前記第１シート及び前記第２シートは、それぞれ、前記隣り合う吸収体の間に位置する部分を介して連続していることを特徴とする。
【００１１】
本願の第５発明は、第４発明の吸収パッドであって、前記第１シート及び前記第２シートに、前記隣り合う吸収体の境界に沿ってのびる第２弱化線が形成されていることを特徴とする。
【００１２】
本願の第６発明は、第５発明の吸収パッドであって、前記第１シート及び前記第２シートの繊維の配向は、前記第２弱化線に沿う方向であることを特徴とする。
【００１３】
本願の第７発明は、第１発明から第６発明までのいずれかの吸収パッドであって、前記第１シート及び前記第２シートは、少なくとも、前記隣り合う吸収体の間に位置する部分において、互いに接合されていることを特徴とする。
【００１４】
本願の第８発明は、第１発明から第７発明までのいずれかの吸収パッドであって、前記連結シートの前記第１弱化線に沿う方向の長さは、前記吸収体の前記第１弱化線に沿う方向の長さよりも、長いことを特徴とする。
【００１５】
本願の第９発明は、第１発明から第８発明までのいずれかの吸収パッドであって、前記複数の吸収体は、一列に配列されていることを特徴とする。
【００１６】
本願の第１０発明は、第１発明から第９発明までのいずれかの吸収パッドであって、前記複数の吸収体は、三角形状の吸収体を含むことを特徴とする。
【発明の効果】
【００１７】
本願の第１発明〜第１０発明によれば、複数の吸収体が互いに接近した状態となっているため、排泄液を良好に吸収することができる。また、必要に応じて連結シートの第１弱化線を破断し、吸収パッドを小さいサイズに切断して使用することもできる。
【００１８】
特に、本願の第２発明によれば、連結シートが排泄液の透過を阻害してしまうことを抑制しつつ、隣り合う吸収体を接近状態に維持することができる。
【００１９】
特に、本願の第３発明によれば、連結シートを、第１弱化線に沿う方向に、より容易に破断できる。
【００２０】
特に、本願の第４発明によれば、第１シート及び第２シートが、それぞれ単一のシートであるため、より簡易な工程で吸収パッドを製造できる。
【００２１】
特に、本願の第５発明によれば、第２弱化線を破断することにより、第１シート及び第２シートを容易に切断できる。
【００２２】
特に、本願の第６発明によれば、第１シート及び第２シートを、第２弱化線に沿う方向に、より容易に切断できる。
【００２３】
特に、本願の第７発明によれば、第１シートと第２シートとが開いたり、第１シートと第２シートとの間から吸収体が漏れ出したりすることを、防止できる。
【００２４】
特に、本願の第８発明によれば、隣り合う吸収体を、安定して接近状態に維持することができる。
【００２５】
特に、本願の第９発明によれば、任意の箇所で第１弱化線を破断することにより、所望の長さの吸収パッドを得ることができる。また、切断方向が一方向のみとなるため、切断作業が容易となる。
【００２６】
特に、本願の第１０発明によれば、吸収パッドを、鋭角を含む形状に切断できる。このため、切断後の吸収パッドを、狭い隙間にフィットさせることができる。例えば、切断後の吸収パッドを、着用者の大腿部とおむつとの隙間を埋めるために、使用することができる。
【図面の簡単な説明】
【００２７】
【図１】吸収パッドの斜視図である。
【図２】吸収パッドの平面図である。
【図３】吸収パッドを図２中のIII−III位置から見た断面図である。
【図４】連結シートを切断するときの様子を示した図である。
【図５】間隙部を切断するときの様子を示した図である。
【図６】折り畳まれた吸収パッドの斜視図である。
【図７】間隙部に第２ミシン目が形成された吸収パッドの平面図である。
【図８】３つの吸収体を有する吸収パッドの平面図である。
【図９】部分的に折り畳まれた吸収パッドの斜視図である。
【図１０】三角形状の吸収体を有する吸収パッドの平面図である。
【図１１】切断後の三角形状の吸収パッドの使用例を示した図である。
【図１２】間隙部において第１シート及び第２シートが予め分離された吸収パッドの断面図である。
【発明を実施するための形態】
【００２８】
以下、本発明の好適な実施形態について、図面を参照しつつ説明する。
【００２９】
＜１．一実施形態に係る吸収パッド＞
図１は、本発明の一実施形態に係る吸収パッド１の斜視図である。図２は、吸収パッド１を第１シート１１側から見た平面図である。また、図３は、吸収パッド１を図２中のIII−III位置から見た断面図である。
【００３０】
この吸収パッド１は、おむつの内側に敷いたり、おむつと着用者の肌との隙間に挿し込んだりして、おむつによる尿の吸収を補助するためのものである。おむつの着用者は、おむつとともに吸収パッド１を使用することにより、おむつからの尿の漏れ（隙間漏れや伝い漏れなど）を防止することができる。
【００３１】
図１〜図３に示したように、吸収パッド１は、液透過性の第１シート１１及び第２シート１２と、両シート１１，１２の間に挟まれた２つの吸収体２１，２２と、第１シート１１に貼着された液透過性の連結シート４１と、を備えている。おむつの着用者から排泄された尿が、第１シート１１、第２シート１２、又は連結シート４１に接触すると、当該尿は、これらのシート１１，１２，４１を透過して、吸収体２１，２２に吸収保持される。
【００３２】
第１シート１１、第２シート１２、及び連結シート４１は、例えば、親水性繊維（セルロース、レーヨン、コットン等）を用いた不織布により構成される。また、第１シート１１及び第２シート１２は、疎水性繊維（ポリプロピレン、ポリエチレン、ポリエステル、ポリアミド、ナイロン等）の表面を界面活性剤により処理して液透過性とした不織布により構成されていてもよい。
【００３３】
吸収体２１，２２は、それぞれ扁平な矩形状に形成されている。吸収体２１，２２は、各々の一端辺が隣り合い、全体として略同一平面上に位置するように、配置されている。吸収体２１，２２の一方の面（以下、「上面」という。）は、第１シート１１に被覆されている。また、吸収体２１，２２の他方の面（以下、「下面」という。）は、第２シート１２に被覆されている。
【００３４】
吸収体２１，２２は、例えば、顆粒状の高分子吸収体を平面状に分布させたものにより構成される。吸収体２１，２２は、粉砕したパルプ繊維やセルロース繊維などの親水性繊維の集合層に、顆粒状の高分子吸収体を混合した塊を、ティッシュペーパーなどの紙シート又は液透過性の不織布で被覆したものであってもよい。また、吸収体２１，２２は、一対の液透過性のシートの間に接着剤を介して高分子吸収体を固定した、シート状の吸収体であってもよい。
【００３５】
なお、吸収体２１，２２を、パルプ非存在の高分子吸収体により構成すれば、吸収体２１，２２を薄型化できる点で、好ましい。
【００３６】
図３に示したように、吸収体２１，２２は、第１シート１１及び第２シート１２の間に、接着剤３１により固定されている。また、第１シート１１及び第２シート１２は、隣り合う吸収体２１，２２の間に位置する部分（以下、「間隙部１３」という。）において、接着剤３１を介して互いに接合されている。また、第１シート１１及び第２シート１２は、周縁部１４においても、接着剤３１を介して互いに接合されている。
【００３７】
第１シート１１及び第２シート１２と吸収体２１，２２との間には、間隙部１３や周縁部１４よりも低い密度で、接着剤３１が塗布されている。これにより、第１シート１１又は第２シート１２から吸収体２１，２２への尿の透過が、接着剤３１により阻まれることが、抑制されている。
【００３８】
図１〜図３に示したように、第１シート１１及び第２シート１２の間隙部１３は、吸収体２１，２２の下面側の空間へ引き出されている。そして、吸収体２１と吸収体２２とを互いに接近させた状態で、間隙部１３を跨ぐように、第１シート１１の上面に、連結シート４１が貼着されている。これにより、隣り合う吸収体２１，２２が、互いに接近状態に維持されている。図３に示したように、連結シート４１は、接着剤３２を介して、第１シート１１の上面に貼着されている。
【００３９】
このように、本実施形態では、隣り合う吸収体２１，２２が、互いに接近状態に維持されている。これにより、吸収体２１と吸収体２２との間の吸収力の弱い部分が、縮小されている。したがって、本実施形態の吸収パッド１は、着用者の尿を良好に吸収することができる。特に、本実施形態では、連結シート４１として、液透過性のシートが使用されている。このため、連結シート４１自体が尿の透過を阻害してしまうことを抑制しつつ、隣り合う吸収体２１，２２を接近状態とすることができる。
【００４０】
また、図１及び図２に示したように、連結シート４１には、第１ミシン目４１１が形成されている。第１ミシン目４１１は、連結シート４１のうち、第１シート１１に貼着されていない部分に、形成されている。また、第１ミシン目４１１は、隣り合う吸収体２１，２２の境界に沿って、連結シート４１の一方の端部から他方の端部までのびている。
【００４１】
使用者は、必要に応じて、第１ミシン目４１１を破断することにより、連結シート４１を切断できる。使用者は、連結シート４１を切断する際には、ハサミ等の器具を使用する必要はない。例えば、図４のように、吸収体２１と吸収体２２とを離間させるように、吸収パッド１を外側に引っ張れば、第１ミシン目４１１が破断され、これにより、連結シート４１が切断される。
【００４２】
その後、使用者は、図５のように、第１シート１１及び第２シート１２の間隙部１３を、例えばハサミで切断することができる。これにより、切断前の吸収パッド１より小さいサイズの２つの吸収パッドを得ることができる。
【００４３】
切断されていない吸収パッド１は、例えば、おむつの内側の比較的広い領域に敷いて、使用することができる。一方、切断後の吸収パッドは、例えば、着用者とおむつとの間の小さい隙間を埋めるために、使用することができる。
【００４４】
このように、使用者は、吸収パッド１を、予め与えられたサイズのままで使用することができるとともに、小さいサイズに切断して使用することもできる。すなわち、使用者は、吸収パッドのサイズを、状況に応じて選択することができる。これにより、着用者の体型や、吸収パッドを配置する部位に応じて、適当なサイズの吸収パッドを、無駄なく使用することができる。
【００４５】
また、上述の通り、第１シート１１及び第２シート１２は、間隙部１３及び周縁部１４において、互いに接合されている。このため、切断後の吸収パッドも、その周縁部において第１シート１１と第２シート１２とが接合された状態となっている。したがって、切断後の吸収パッドの周縁部において、第１シート１１と第２シート１２とが開いたり、切断後の吸収パッドの周縁部から吸収体２１，２２が漏れ出したりすることが、防止される。
【００４６】
また、使用者は、連結シート４１を切断することなく、図６に示したように、吸収パッド１を折り畳んで使用することもできる。このようにすれば、２つの吸収体２１，２２が積層配置されるため、単位面積当たりの尿の吸収能力が向上する。使用者は、例えば、尿の漏れ量が多い箇所に、吸収パッド１を折り畳んで配置することができる。
【００４７】
図６のように吸収パッド１を折り畳む場合、連結シート４１は、第１ミシン目４１１を境として、容易に折り畳まれる。すなわち、本実施形態において、第１ミシン目４１１は、連結シート４１の切断を容易にする役割と、連結シート４１の折り畳みを容易にする役割と、の双方を果たす。
【００４８】
また、本実施形態では、連結シート４１の繊維の配向が、第１ミシン目４１１に沿う方向となっている。このため、使用者は、連結シート４１を、第１ミシン目４１１に沿う方向に、より容易に切断できるとともに、第１ミシン目４１１を境として、連結シート４１１をより容易に折り畳むことができる。
【００４９】
＜２．変形例＞
以上、本発明の一実施形態について説明したが、本発明は上記の実施形態に限定されるものではない。
【００５０】
例えば、図７の吸収パッド１Ａのように、第１シート１１Ａ及び第２シートの間隙部１３Ａに、第２ミシン目１５Ａを設けてもよい。図７の第２ミシン目１５Ａは、隣り合う吸収体２１Ａ，２２Ａの境界に沿って、第１シート１１Ａ及び第２シートの一方の端部から他方の端部までのびている。このようにすれば、第２ミシン目１５Ａを破断することにより、第１シート１１Ａ及び第２シートを容易に切断できる。使用者は、図４と同じように、吸収パッド１Ａを外側に引っ張って連結シート４１Ａを切断した後、そのまま吸収パッド１Ａをさらに外側に引っ張ることにより、第１シート１１Ａ及び第２シートを切断できる。したがって、連結シート４１Ａの切断だけではなく、第１シート１１Ａ及び第２シートの切断に関しても、ハサミ等の器具を使用する必要はない。
【００５１】
第２ミシン目１５Ａを設ける場合には、第１シート１１Ａ及び第２シートの繊維の配向を、第２ミシン目１５Ａに沿う方向としておくことが望ましい。このようにすれば、使用者は、第１シート１１Ａ及び第２シートを、第２ミシン目１５Ａに沿う方向に、より容易に切断できる。
【００５２】
ただし、第１シート、第２シート、及び連結シートの繊維の配向は、必ずしも第１ミシン目や第２ミシン目に沿う方向でなくてもよい。例えば、第１シート、第２シート、及び連結シートの繊維の配向が、第１ミシン目や第２ミシン目に直交する方向であってもよい。
【００５３】
また、上記の実施形態では、連結シート４１は、第１シート１１の全幅に亘って設けられていたが、連結シート４１は、第１シート１１の幅方向の一部分のみに設けられていてもよい。すなわち、連結シート４１の第１ミシン目４１１に沿う方向の長さが、第１シート１１の同方向の長さより、短くてもよい。ただし、吸収体２１，２２を安定して接近状態に維持するためには、連結シート４１の第１ミシン目４１１に沿う方向の長さが、吸収体２１，２２の同方向の長さより、長いことが望ましい。
【００５４】
また、上記の実施形態では、第１シート１１と第２シート１２との間に、２つの吸収体２１，２２が配置されていたが、第１シート１１と第２シート１２との間に、３つ以上の吸収体が配置されていてもよい。例えば、図８の吸収パッド１Ｂのように、第１シート１１Ｂと第２シートとの間に、３つの吸収体２１Ｂ〜２３Ｂが配置されていてもよい。
【００５５】
図８の例では、吸収体２１Ｂと吸収体２２Ｂとの間において、第１シート１１Ｂ及び第２シートが下面側へ引き出され、吸収体２１Ｂと吸収体２２Ｂとを接近状態に維持する連結シート４１Ｂが、第１シート１１Ｂの上面に貼着されている。また、吸収体２２Ｂと吸収体２３Ｂとの間において、第１シート１１Ｂ及び第２シートが下面側へ引き出され、吸収体２２Ｂと吸収体２３Ｂとを接近状態に維持する連結シート４２Ｂが、第１シート１１Ｂの上面に貼着されている。そして、連結シート４１Ｂ及び連結シート４２Ｂには、隣り合う吸収体の境界に沿ってのびる第１ミシン目４１１Ｂ，４２１Ｂが、それぞれ形成されている。
【００５６】
図８のように、複数の吸収体を一列に配列すれば、任意の間隙部において連結シート、第１シート、及び第２シートを切断することにより、所望の長さの吸収パッドを得ることができる。また、連結シート、第１シート、及び第２シートの切断方向は一方向のみとなり、かつ、切断すべき長さも一辺分のみとなるため、吸収パッドの切断作業が容易となる。
【００５７】
また、３つ以上の吸収体を配置した場合、吸収パッドを部分的に折り畳んで使用することが可能となる。図９は、図８の吸収パッド１Ｂを、第１ミシン目４２１Ｂを境として折り畳んだ状態を示した斜視図である。図９の例では、吸収パッド１Ｂに含まれる３つの吸収体２１Ｂ〜２３Ｂのうち、２つの吸収体２２Ｂ，２３Ｂが積層された状態となっている。このようにすれば、例えば、尿の漏れ量が多い箇所に、積層された２つの吸収体２２Ｂ，２３Ｂを配置し、尿の漏れ量が少ない箇所に残りの１つの吸収体２１Ｂを配置する、といった使用の仕方が可能となる。
【００５８】
また、上記の実施形態では、平面視において矩形状の吸収体２１，２２が使用されていたが、各吸収体の形状は、矩形以外の形状であってもよい。例えば、図１０の吸収パッド１Ｃのように、第１シート１１Ｃと第２シートとの間に、平面視において三角形状の２つの吸収体２１Ｃ，２２Ｃが配置されていてもよい。
【００５９】
図１０の例では、２つの吸収体２１Ｃ，２２Ｃは、平面視において略直角二等辺三角形状となっており、その斜辺同士が対向するように、配置されている。そして、吸収体２１Ｃと吸収体２２Ｃとの間において、第１シート１１Ｃ及び第２シートが下面側へ引き出され、吸収体２１Ｃと吸収体２２Ｃとを接近状態に維持する連結シート４１Ｃが、第１シート１１Ｃの上面に貼着されている。そして、連結シート４１Ｃには、隣り合う吸収体の境界に沿ってのびる第１ミシン目４１１Ｃが形成されている。
【００６０】
図１０のように、三角形状の吸収体を含むようにすれば、吸収パッドを、鋭角を含む形状に切断できる。このため、切断後の吸収パッドを、狭い隙間にフィットさせることができる。例えば、図１１に示したように、切断後の吸収パッドを、着用者の大腿部とおむつとの隙間を埋めるために、使用することができる。
【００６１】
また、上記の実施形態や変形例では、吸収パッドに含まれる複数の吸収体の形状や大きさが同じであったが、１つの吸収パッドに、形状や大きさの異なる２種類の吸収体が含まれていてもよい。例えば、１つの吸収パッドに、平面視において矩形状の吸収体と、平面視において三角形状の吸収体とが、混在していてもよい。
【００６２】
また、上記の実施形態や変形例では、第１シート及び第２シートが、それぞれ、間隙部を介して連続していた。すなわち、第１シート及び第２シートが、それぞれ単一のシートであった。第１シート及び第２シートをそれぞれ単一のシートとすれば、吸収パッドを簡易な工程で製造できるメリットがある。しかしながら、第１シート及び第２シートは、必ずしも単一のシートでなくてもよい。
【００６３】
例えば、図１２の吸収パッド１Ｄのように、第１シート及び第２シートが、間隙部１３Ｄにおいて予め分離されていてもよい。図１２の例では、第１シート１１Ｄは、別体の２枚の第１シート１１１Ｄ，１１２Ｄで構成されている。また、第２シート１２Ｄは、別体の２枚の第２シート１２１Ｄ，１２２Ｄで構成されている。そして、第１シート１１１Ｄと第２シート１２１Ｄとの間に吸収体２１Ｄが配置されており、第１シート１１２Ｄと第２シート１２２Ｄとの間に吸収体２２Ｄが配置されている。このようにすれば、吸収パッド１Ｄを切断して使用する際に、連結シート４１Ｄのみを切断すればよいこととなる。したがって、吸収パッド１Ｄの切断作業が、より容易となる。
【００６４】
また、上記の実施形態や変形例では、弱化線としてミシン目が設けられていたが、本発明の第１弱化線及び第２弱化線は、ミシン目に限定されるものではない。第１弱化線及び第２弱化線は、第１シート及び第２シートを部分的に弱化させて、吸収パッドの切断や折り畳みを容易にするものであればよい。例えば、ミシン目に代えて、超音波融着、熱融着、エンボス加工等による弱化線が形成されていてもよい。
【００６５】
また、上記の実施形態や変形例では、連結シートが、接着剤を介して、第１シートの上面に貼着されていたが、本発明の連結シートは、他の方法により第１シートに固定されていてもよい。例えば、連結シートが、熱シールや縫合等により、第１シートに固定されていてもよい。
【００６６】
また、上記の実施形態や変形例の吸収パッドは、おむつとともに使用されて補助的に尿を吸収するものであったが、本発明の吸収パッドは、おむつとは別に使用されるものであってもよい。また、本発明の吸収パッドは、尿以外の排泄液を吸収するものであってもよい。
【００６７】
また、本発明の吸収パッドは、成人を対象としたものであってもよく、幼児を対象としたものであってもよい。
【符号の説明】
【００６８】
１，１Ａ，１Ｂ，１Ｃ，１Ｄ  吸収パッド
１１，１１Ａ，１１Ｂ，１１Ｃ，１１Ｄ，１１１Ｄ，１１２Ｄ  第１シート
１２，１２Ｄ，１２１Ｄ，１２２Ｄ  第２シート
１３，１３Ｄ  間隙部
１４，１４Ｄ  周縁部
１５Ａ  第２ミシン目
２１，２２，２１Ａ，２２Ａ，２１Ｂ，２２Ｂ，２３Ｂ，２１Ｃ，２２Ｃ，２１Ｄ，２２Ｄ  吸収体
３１，３２，３１Ｄ，３２Ｄ  接着剤
４１，４１Ａ，４１Ｂ，４２Ｂ，４１Ｃ，４１Ｄ  連結シート
４１１，４１１Ｂ，４２１Ｂ，４１１Ｃ  第１ミシン目
【図１】
2011056091.tif 000003
【図２】
2011056091.tif 000004
【図３】
2011056091.tif 000005
【図４】
2011056091.tif 000006
【図５】
2011056091.tif 000007
【図６】
2011056091.tif 000008
【図７】
2011056091.tif 000009
【図８】
2011056091.tif 000010
【図９】
2011056091.tif 000011
【図１０】
2011056091.tif 000012
【図１１】
2011056091.tif 000013
【図１２】
2011056091.tif 000014